【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
ランセット連結機構であって、穿刺軸の方向に延伸し、ランセットを収容する少なくとも１つのチャンバを有し、前記穿刺軸に沿って制御された前進動作および後退動作を行うために、前記チャンバに入り込み前記ランセットに連結され得る駆動ロッドを有し、
前記ランセット（６０）は、前記穿刺軸に対して横断する方向に延伸する少なくとも１つの曲げ軸の周りで弾性的に曲がることができ、
前記チャンバ（５）は、前記ランセット（６０）の断面に適合され、前記穿刺軸を横断する方向の軸の周りに少なくとも１つの湾曲部（６５）を有するシャフト（６４）を備え、
前記駆動ロッド（９）は、前記ランセットが曲げ状態にある場合に前記ランセット（６０）上に連結でき、前記駆動ロッド（９）は、前記ランセットが緩み状態にある場合には前記ランセットに対して嵌合接続を有することを特徴とするランセット連結機構。
【請求項２】
前記ランセット（６０）が少なくとも１つの連結凹部を有し、
前記駆動ロッド（９）はその前端に少なくとも１つの連結構造を有し、該連結構造は前記ランセット（６０）の曲げ軸に垂直に延伸し、前記ランセット（６０）が前進移動すると前記曲げられているランセット（６０）の前記連結凹部に係合することを特徴とする請求項１記載のランセット連結機構。
【請求項３】
前記ランセット（６０）が、１枚の平らな金属平板から作製され、その後端で少なくとも１つの孔（６３）を有し、
前記駆動ロッド（９）が、その前端に前記孔（６３）に引っ掛けられ得る少なくとも１つのフック（６６）を有することを特徴とする請求項２記載のランセット連結機構。
【請求項４】
血液試料を採取および分析する装置であって、
ハウジングと、
体の部位に押し付け、そこから前記血液試料が取り込まれるように、前記ハウジング上に設けられるコンタクト装置と、
前記ハウジング上を移動可能なように取り付けられ、複数のランセットを含むマガジンであって、前記ランセットが一度に１つずつ前記体の部位に穿刺され、また刺創から出る血液試料を受け取るために引き抜かれるマガジンと、
ランセットを動作位置に持ち込むために、マガジンを進める装置と、
穿刺軸に沿って制御された穿刺動作を行うために、また動作位置にあるランセットに連結され得る駆動ロッドを有するランセット駆動部と、
前記ランセットに割り当てられたテストエレメントであって、該テストエレメントのそれぞれに、受け取られた血液試料が分析されるために移送されるテストエレメントと
を備え、
前記ランセット駆動部、前記マガジンを進める装置、および穿刺軸に対して略垂直方向の試料移送動作を生み出す装置を備えた一体型の駆動ユニットにより特徴付けられる装置。
【請求項５】
前記駆動ユニットが、
前記ランセット駆動部、前記マガジンの進行、および前記試料移送動作のための力を供給する共通の駆動源と、
駆動力伝達ギヤであって、該駆動力伝達ギヤを介して前記ランセット駆動部、前記マガジンを進める装置、および前記試料移送動作を生み出す装置が前記駆動源に連結され得る駆動力伝達ギヤと
を備えることを特徴とする請求項４記載の装置。
【請求項６】
前記駆動力伝達ギヤが、回転角に応じて、前記駆動源の力を選択的に、前記ランセット駆動部、前記マガジンを進める装置、および前記試料移送動作を生じさせる装置に伝達する少なくとも１つのロータを備えることを特徴とする請求項５記載の装置。
【請求項７】
穿刺、前記マガジンの進行、および試料移送に必要な動作が、共通する軸の周りでの回転動作から生み出されることを特徴とする請求項６記載の装置。
【請求項８】
前記駆動ユニットが、
前記ハウジング内において、前記穿刺軸に対して垂直に配置される回転軸（１９）の周りを回転可能なように取り付けられるドライブロータ（２０）と、
前記ドライブロータ（２０）を駆動するバネ（４３）と、
前記ドライブロータ（２０）と同軸に回転可能なように取り付けられ、前記駆動バネ（４９）に接続されるテンションロータ（１８）であって、前記ドライブロータ（２０）に対してテンションロータ（１８）を回転させることにより前記駆動バネ（４３）に張力を加えるテンションロータ（１８）と、
前記ドライブロータ（２０）の回転を、前記穿刺軸に沿った前記ランセット（６０）の半径方向の前進動作および後退動作に変換する第１カムコントロールと、
前記テンションロータ（１８）の回転動作を、前記マガジン（４）を進めるための直線動作に変換する第２カムコントロールを有するステッピングスイッチ機構と、
前記テンションロータ（１８）の回転動作を、前記穿刺軸に略垂直なプレッシャータペット（３７）の直線動作に変換する第３カムコントロールを有する試料移送装置（１２）と
を備える請求項７記載の装置。
【請求項９】
前記マガジン（４）が、円形リング状に設計され、それぞれが１つのランセット（１３）を含む、半径方向に配置される多数のチャンバ（５）を有し、
前記マガジン（４）の回転軸が、前記ドライブロータ（２０）の回転軸（１９）と平行に配置されることを特徴とする請求項８記載の装置。
【請求項１０】
前記テンションロータ（１８）が、平らな円形ディスクとして設計され、中央のポット状の凹部（４６）を有し、
前記ドライブロータ（２０）が、前記凹部（４６）内に位置することを特徴とする請求項８または９記載の装置。
【請求項１１】
前記ドライブロータ（２０）が、該ドライブロータ（２０）の回転動作を半径方向の動作に変換するために、溝走行部（２８）が移動するコントロール溝（２９）を正面側に有することを特徴とする請求項８〜１０のいずれか１項に記載の装置。
【請求項１２】
１つのアーム状の伝達レバー（２２）が、前記ハウジング内で枢動可能なように取り付けられ、
前記伝達レバー（２２）の自由端部が前記駆動ロッド（９）に接続され、
前記溝走行部（２８）が、前記自由端部とレバー軸との間で前記伝達レバー（２２）上に配置され、
前記伝達レバー（２２）のレバー軸が、前記ドライブロータの回転軸（１９）に対して平行に延伸し、前記穿刺軸を横断する方向に移動可能であり、それにより前記レバーの伝達比が設定可能であることを特徴とする請求項１１記載の装置。
【請求項１３】
前記ドライブロータ（２０）および前記テンションロータ（１８）が、回転で固定された方法で互いに接続可能であることを特徴とする請求項８〜１２のいずれか１項に記載の装置。
【請求項１４】
前記ステッピングスイッチ機構が、
前記テンションロータ（１８）に設けられ、リンクスライド（１１）が移動する間、前記リンクスライドを作動させるスイッチカム（３５）と、
前記リンクスライド（１１）によって動かされるスイッチリンク（３４）と、
前記リンクスライド（１１）の半径方向の動作を、前記マガジン（４）の限られた回転動作に変換するために、前記マガジン（４）の外側に配置され、前記スイッチリンク（３４）に係合するスイッチエレメントと
を含んでなることを特徴とする請求項８〜１３のいずれか１項に記載の装置。
【請求項１５】
前記テンションロータ（１８）が、前記ドライブロータ（２０）の回転動作を、前記穿刺軸に垂直な動作に変換するために、その縁の領域に、摩擦エレメントが移動する傾斜部（４０）を有することを特徴とする請求項８〜１４のいずれか１項に記載の装置。